【事件の表示】
　特許第３３３６９３７号「ストレッチフィルム包装機」の請求項１、２に係る特許に対する特許異議の申立てについて、次のとおり決定する。
【結　論】
　訂正を認める。
　特許第３３３６９３７号の請求項１ないし２に係る特許を維持する。
【理　由】
１．手続の経緯
　特許第３３３６９３７号の請求項１〜３に係る発明についての出願は、平成９年１２月９日に特許出願され、平成１４年８月９日にその特許権の設定登録がなされ、取消の理由が通知され、その指定期間内である平成１５年８月２７日に訂正請求がなされたものである。
　
２．訂正の適否についての判断
（１）訂正の内容
１）訂正事項ａ
　特許請求の範囲の請求項１の「クランプ手段でクランプしたフィルム」を「間隔を広狭調節し得るように構成された一対のクランプ手段でクランプしたフィルム」と訂正する。
２）訂正事項ｂ
　特許請求の範囲の請求項１の「クランプ解放タイミングデータを含む包装制御データ」を「クランプ解放タイミングデータと折り込み時にクランプ手段同士を接近させる開始タイミングデータとを含む包装制御データ」と訂正する。
３）訂正事項ｃ
　特許請求の範囲の請求項１の「該当するクランプ解放タイミングデータを読み出し、」を「該当するクランプ解放タイミングデータと前記クランプ手段同士を接近させる開始タイミングデータとを読み出し、」と訂正する。
４）訂正事項ｄ
　特許請求の範囲の請求項１の「そのクランプ解放タイミングデータに基づいて」を「そのクランプ解放タイミングデータと前記クランプ手段同士を接近させる開始タイミングデータに基づいて」と訂正する。
５）訂正事項ｅ
　特許請求の範囲の請求項１の「クランプ手段の解放動作を制御する制御手段と、」を「クランプ手段の解放動作と前記クランプ手段同士を接近させる動作とを制御する制御手段と、」と訂正する。
６）訂正事項ｆ
　明細書の段落番号０００５の第１行乃至２行の「クランプ手段」を「間隔を広狭調節し得るように構成された一対のクランプ手段」と訂正する。
７）訂正事項ｇ
　明細書の段落番号０００５の第５行乃至６行の「クランプ解放タイミングデータを含む包装制御データ」を「クランプ解放タイミングデータと折り込み時にクランプ手段同士を接近させる開始タイミングデータとを含む包装制御デー夕」と訂正する。
８）訂正事項ｈ
　明細書の段落番号０００５の第７行の「該当するクランプ解放タイミングデータを読み出し、」を「該当するクランプ解放タイミングデータと前記クランプ手段同士を接近させる開始タイミングデータとを読み出し、」と訂正する。
９）訂正事項ｉ
　明細書の段落番号０００５の第７乃至８行の「そのクランプ解放タイミングデータに基づいて」を「そのクランプ解放タイミングデータと前記クランプ手段同士を接近させる開始タイミングデータとに基づいて」と訂正する。
１０）訂正事項ｊ
　明細書の段落番号０００５の第８乃至９行の「クランプ手段の解放動作を制御する制御手段と、」を「クランプ手段の解放動作と前記クランプ手段同士を接近させる動作とを制御する制御手段と、」と訂正する。
１１）訂正事項ｋ
　明細書の段落番号０００６の第２行の「クランプ手段のクランプ解放タイミングデータの他に、」を「クランプ手段のクランプ解放タイミングデータと折り込み時にクランプ手段同士を接近させる開始タイミングデータとの他に、」と訂正する。
　
（２）訂正の目的の適否、新規事項の有無及び拡張・変更の存否
１）訂正事項ａは、請求項１記載された「クランプ手段」を、その構成を特定した「間隔を広狭調節し得るように構成された一対の」なる技術的事項により限定しようとするものである。
　その「間隔を広狭調節し得るように構成された一対の」は、明細書の段落番号００１４の第８行、及び第１４行乃至１５行に記載されていたものである。
２）訂正事項ｂは、請求項１の「包装制御データ」を、そのデータの種類を特定して「クランプ解放タイミングデータと折り込み時にクランプ手段同士を接近させる開始タイミングデータとを含む」なる技術的事項により限定しようとするものである。
　「折り込み時にクランプ手段同士を接近させる開始タイミングデータ」を「包装制御データ」に含めることができることは、明細書の段落番号００２７の第６行乃至７行に記載されていたものである。
３）訂正事項ｃ〜ｅは、請求項１の「制御手段」を、前記訂正事項ｂの内容に基づいてその制御対象を特定して「指定されたフィルムの種類に該当するクランプ解放タイミングデータと折り込み時にクランプ手段同士を接近させる開始タイミングデータとを読み出し、そのクランプ解放タイミングデータと前記クランプ手段同士を接近させる開始タイミングデータとに基づいてクランプ手段の解放動作と前記クランプ手段同士を接近させる動作とを制御する」なる技術的事項により限定しようとするものである。
　ここで、明細書には、「クランプ解放タイミングデータ」と、「折り込み時にクランプ手段同士を接近させる開始タイミングデータ」との二つの包装制御データにより制御することについて、明示的記載がない。
　しかし、訂正請求前の請求項１には、「クランプ解放タイミングデータを含む包装制御データを記憶する」ことが記載されており、明細書の段落番号００２７第６行乃至７行に、「包装制御データとして、折り込み時にクランプ手段同士を接近させる開始タイミングデータを加えるとよい。」ことが記載され、訂正請求前の請求項１には、「クランプ解放タイミングデータを読み出し、そのクランプ解放タイミングデータに基づいてクランプ手段の解放動作を制御する」ことが記載されているから、「クランプ解放タイミングデータ」と、「折り込み時にクランプ手段同士を接近させる開始タイミングデータ」との二つのタイミングデータを読み出し、その読み出したデータに基づいて制御することは、請求項１の「制御手段」という構成に係る技術的事項として、願書に添付した明細書に記載される事項である。
４）訂正事項ｆについては、特許明細書に記載された「クランプ手段」を、その構成を特定した「間隔を広狭調節し得るように構成された一対の」なる技術的事項により限定しようとするものである。
　その「間隔を広狭調節し得るように構成された一対の」は、特許明細書の段落番号００１４の第８行、及び第１４行乃至１５行に記載されていたものである。
５）訂正事項ｇは、特許明細書に記載された「包装制御データ」を、そのデータの種類を特定して「クランプ解放タイミングデータと折り込み時にクランプ手段同士を接近させる開始タイミングデータとを含む」なる技術的事項により限定しようとするものである。
　その包装制御データに含まれる「折り込み時にクランプ手段同士を接近させる開始タイミングデータ」は、特許明細書の段落番号００２７の第６行乃至７行に記載されていたものである。
６）訂正事項ｈ〜Ｊについては、特許明細書に記載された「制御手段」を、前記訂正事項ｇの内容に基づいてその制御対象を特定して「指定されたフィルムの種類に該当するクランプ解放タイミングデータと折り込み時にクランプ手段同士を接近させる開始タイミングデータとを読み出し、そのクランプ解放タイミングデータと前記クランプ手段同士を接近させる開始タイミングデータとに基づいてクランプ手段の解放動作と前記クランプ手段同士を接近させる動作とを制御する」なる技術的事項により限定しようとするものである。
　ここで、明細書には、「クランプ解放タイミングデータ」と、「折り込み時にクランプ手段同士を接近させる開始タイミングデータ」との二つの包装制御データに基づき制御することについて、明示的記載がない。
　しかし、訂正請求前の請求項１には、「クランプ解放タイミングデータを含む包装制御データを記憶する」ことが記載されており、明細書の段落番号００２７第６行乃至７行に、「包装制御データとして、折り込み時にクランプ手段同士を接近させる開始タイミングデータを加えるとよい。」ことが記載され、訂正請求前の請求項１には、「（包装制御データとしての）クランプ解放タイミングデータを読み出し、そのクランプ解放タイミングデータに基づいてクランプ手段の解放動作を制御する」ことが記載されているから、「クランプ解放タイミングデータ」と、「折り込み時にクランプ手段同士を接近させる開始タイミングデータ」との二つのタイミングデータを読み出し、その読み出したデータに基づいて制御することは、特許明細書に記載された「制御手段」という構成に係る技術的事項として、願書に添付した明細書に記載される事項である。
７）訂正事項ｋについては、包装制御データに含まれるデータの種類を、「クランプ手段のクランプ解放タイミングデータ」から「クランプ手段のクランプ解放タイミングデータと折り込み時にクランプ手段同士を接近させる開始タイミングデータとを含む包装制御データ」と明確化したものであり、当該包装制御データは明細書の段落番号００２７第６行乃至７行に記載されていたものである。
８）よって、訂正事項ａ〜ｅは、請求項１に記載されている事項の一部を明細書に記載された事項で限定するものであるから、特許請求の範囲の減縮に該当し、訂正事項ｆ〜ｋは、訂正事項ａ〜ｅに付随的に生じる記載の不備を解消するものであって、明りょうでない記載の釈明を目的とした明細書の訂正に該当するものである。
　したがって、上記いずれも、新規事項の追加に該当せず、実質上特許請求の範囲を拡張し、又は変更するものでもない。
　　　
（３）むすび
　以上のとおりであるから、上記訂正は、特許法第１２０条の４第２項及び同条第３項において準用する特許法第１２６条第２項，第３項の規定に適合するので、当該訂正を認める。
　　　　　　
３．本件発明
　本件の請求項１及び２に係る発明は、上記訂正請求に係る訂正明細書の特許請求の範囲の請求項１及び２に記載された事項により特定される次のとおりのものである。
「【請求項１】
　包装部に帳架し、間隔を広狭調節し得るように構成された一対のクランプ手段でクランプしたフィルムに向けて被包装物を突き上げて該被包装物の表面をフィルムで覆い、そのフィルムの端部を被包装物の底面側に折り込んで包装するストレッチフィルム包装機において、
　性質の異なるフィルムの種類毎にクランプ解放タイミングデータと折り込み時にクランプ手段同士を接近させる開始タイミングデータとを含む包装制御データを記憶する記憶手段と、
　フィルムの種類を指定する指定手段と、
　指定されたフィルムの種類に該当するクランプ解放タイミングデータと前記クランプ手段同士を接近させる開始タイミングデー夕とを読み出し、そのクランプ解放タイミングデータと前記クランプ手段同土を接近させる開始タイミングデータに基づいてクランプ手段の解放動作と前記クランプ手段同士を接近させる開始動作とを制御する制御手段と、
　を備えたことを特徴とするストレッチフィルム包装機。
【請求項２】
　上記ストレッチフィルム包装機が幅狭い１種類のフィルムを被包装物の寸法に合わせてその幅方向をプリストレッチするプリストレッチ手段を備え、且つ前記包装制御データとしてプリストレッチ量データを含むことを特徴とする請求項１記載のストレッチフィルム包装機。」
４．当審で通知した取消理由について
（１）引用刊行物
１）刊行物１（特開昭６２−２６０６１３号公報：特許異議申立人の提出した甲第１号証）
２）刊行物２（特開平９−２２６７１０号公報：特許異議申立人の提出した甲第２号証）
（２）引用刊行物に記載された発明
１）刊行物１には、以下ａ〜ｇの点が記載されている。
ａ．「第３図はフィルム折り込み機構の概要を示す図である。・・・フィルムＦは、その両端を左右及び中央に区分して挟持するグリッパー機構Ｇ１　乃至Ｇ６　で挟持して張架し、該フィルムＦの下部から押し上げ機構により（図示せず）によりトレイＴに収納された被包装物をフィルムＦに押し上げ、左右折り込み板１１，１２、前折り込み板１３及び後折り込みローラ１４で構成されるフィルム折り込み機構でフィルムＦを前記トレイＴの底部に折り込み包装する。」（第３頁右下欄第８行〜第１９行）
　つまり、刊行物１には、「フィルム折り込み機構に帳架し、グリッパーでグリップしたフィルムに向けて被包装物を押し上げて該被包装物の表面をフィルムで覆い、そのフィルムの端部を被包装物の底面側に折り込んで包装するストレッチフィルム包装機」のものが記載されているものと認められる。
ｂ．「第９図はフィルムカット長さ設定用のスイツチＳＷ１　とフィルム張り強さ調整用のスイッチＳＷ２　とトレイタイプ切換用のスイッチＳＷ２　及びメーカー調整用のスイッチＭＳＷ１　、ＭＳＷ２　、ＭＳＷ３　の設定と左右前後グリッパーＧ１　，Ｇ３　，Ｇ４　，Ｇ６　の開放タイミング値の関係を示すテーブルの一例である。・・・左右前後グリッパーＧ１　，Ｇ３　，Ｇ４　，Ｇ６　の開放タイミングが１０段階に調整に調整できるように構成されており、それら開放タイミングが早い（つまり張りが弱い）順にそれぞれ「０」から「９」までのタイミング値番号を付けた場合において、上記各スイッチ設定値とその場合に選択されるタイミングとの関係を示している。」（第６頁左上欄第７行〜第２０行）
ｃ．「なお、メーカ調整用スイッチを設けたのは、ユーザーが使用するフィルムの種類によってフィルムの伸び率が異なるので、使用するフィルムの種類に応じて張り強さスイッチＳＷ２　の調整範囲を事前に設定するためである。・・・テーブルは、包装機１００の制御部１００ａのリードオンメモリ（ＲＯＭ）１２３ａの各種テーブルエリアにされている〔第５図（ａ）参照〕。」（第６頁右上欄第９行〜第１８行）
ｄ．「フィルムの張り強さ調整は左右折り込み板１１，１２及び前折り込み板１３の作動タイミングを変化させても実行することができるが、ここでは、グリッパのフィルム開放タイミングで行なうことにする。」（第５頁左下欄第１行〜第５行）
ｅ．「上記温度センサによる補正値の調整も主としてフィルムの種類に応じて行なうので更に進めて、メーカー調整スイッチとしてフィルム種類設定用のスィッチを設け、該スイッチを選択することにより第１５図に示すようにユーザー調整用スイッチＭＳＷ１　，ＭＳＷ２　，ＭＳＷ３　，ＭＳＷ４　の各設定値が決定されるように構成することも考えられる。つまり、例えばフィルム種類設定用のスイッチの設定値をＡ社製に設定することにより、スイッチＭＳＷ１　、ＭＳＷ２　，ＭＳＷ３　，ＭＳＷ４　の設定値がそれぞれ「２」，「２」，「３」，「３」に設定されるように構成する。このよえに構成することで、個々のスイッチＭＳＷ１　，ＭＳＷ２　，ＭＳＷ３　，ＭＳＷ４　の役割を一つのスイッチで行なうことが可能となり、前記スイッチＭＳＷ１　，ＭＳＷ２　，ＭＳＷ３　，ＭＳＷ４　を省略することができる。」（第７頁左下欄第３行〜第１９行）
　つまり、刊行物１には、「ストレッチフィルム包装機において、
　性質の異なるフィルムの種類毎にグリッパーの開放タイミングデータを含む包装制御データを記憶する記憶手段と、
　フィルムの種類を設定する設定手段と、を備えたもの」が記載されているものと認められる。
ｆ．「中央処理装置１２０は、タイミング検出部１２６からのタイミング検出信号及び記憶部１２３のリードオンメモリ（ＲＯＭ）１２３ａテーブルの格納エリア１２３ａ−２に格納されている作動タイミングテーブル及び温度補正テーブルに記憶されたデータ基づいて入出力制御回路１２４を通して各駆動回路１２５ａ〜１２５ｇに信号を送信し、フィルム折り込み機構を構成する各部を所定のタイミングで駆動する。なお、上記タイミング信号は図示しないが包装機１００の駆動部に同期して回転するタイミング円板からのタイミングパルスである。」（第５頁右上欄第１行〜第１２行）
　つまり、刊行物１には、「ストレッチフィルム包装機において、
　設定されたフィルムの種類に該当するグリッパーの開放タイミングデータを読み出し、そのグリッパーの開放タイミングデータに基づいて開放動作を制御する制御手段と、を備えたもの」が記載されているものと認められる。
ｇ．図面第１図には、本件発明のバーコードラベル処理装置の概略構成が、第３図には、フィルム折り込み機構の概要を示す図が、第６図には、包装機制御部の入出力制御回路以降の構成を示すブロック図が、第９図には、スイツチＳＷ１　とスイツチＳＷ２　とスイツチＳＷ３　及びスイッチＭＳＷ１　、ＭＳＷ２　、ＭＳＷ３　の設定値とフィルム開放タイミング値との関係を示すテーブルが、第１５図には、フィルム種類設定用のスイッチの設定位置とそれに対応するメーカー調整用スイッチＭＳＷ１　、ＭＳＷ２　、ＭＳＷ３　の設定値の関係を示す図が記載されている。
　　　　
　そうすると、刊行物１には以下の発明が記載されているものと認められる。
「フィルム折り込み機構に帳架し、グリッパーでグリップしたフィルムに向けて被包装物を押し上げて該被包装物の表面をフィルムで覆い、そのフィルムの端部を被包装物の底面側に折り込んで包装するストレッチフィルム包装機において、
　性質の異なるフィルムの種類毎にグリッパーの開放タイミングデータを含む包装制御データを記憶する記憶手段と、
　フィルムの種類を設定する設定手段と、
　設定されたフィルムの種類に該当するグリッパーの開放タイミングデータを読み出し、そのグリッパーの開放タイミングデータに基づいて開放動作を制御する制御手段と、
　を備えたことを特徴とするストレッチフィルム包装機。」
２）刊行物２には、以下ａ〜ｄの点が記載されている。
ａ．「【発明の属する技術分野】本発明はストレッチフィルム包装機に関し、更に詳しくは所定の包装位置に張架されたストレッチフィルム（以下、単にフィルムという）に、商品をエレベータヘッド上に載せそのエレベータの上昇によってフィルムの下側から突き上げて該商品の上面をフィルムで覆い包装する、所謂エレベータタイプの包装機に関する。」（段落【０００１】）
ｂ．「機構駆動部４３は、・・・フィルム移送手段Ｄをフィルムの幅方向に拡張してフィルム幅をプリストレッチするフィルムプリストレッチモータ４９・・・等がある。」（段落【００２２】）
ｃ．「上記した実施の形態はフィルムを包装する商品の縦幅（Ｙ）に応じた量幅方向にプリストレッチすることにより幅狭の１種類のフィルムで、フィルムを交換すること無く包装を行うタイプの包装機」（段落【００３１】）
ｄ．「・・・検出された商品のサイズ（横幅Ｘ，縦幅Ｙ，高さＺ）に基づいて、以下の調整量や、各種の制御データ（フィルムクランプの開放タイミング等）を決定する。ここでは、本発明に関係する、ヘッドサイズの調整量、フィルムプリストレッチ量、エレベータヘッドの選択について説明する。・・・フィルムプリストレッチ量（ΔＰ）の決定
フィルムプリストレッチ量（ΔＰ）は商品の縦幅Ｙと高さＺの値に因って決定される。高さＺは前記したように「低」、「中」、「高」の３種なので、高さＺの種別毎に、Ｙ→ΔＰのテーブルを予めＲＯＭ３９に記憶しておく。」（第８頁第１４欄第９行〜第４２行）
　そうすると、刊行物２には以下の発明が記載されているものと認められる。
「ストレッチフィルム包装機が幅狭い１種類のフィルムを被包装物の寸法に合わせてその幅方向をプリストレッチするプリストレッチ手段を備え、且つ前記包装制御データとしてプリストレッチ量データを含むこと」
　　　　　　　　　　　　　　　　
（３）対比・判断
　本件の請求項１に係る発明（以下、「本件発明」という）と刊行物１に記載された発明（以下、「引用発明」）とは、いずれも「ストレッチフィルム包装機」である点で同じである。
　そして、引用発明の「フィルム折り込み機構」、「グリッパー」、「グリッパーの開放タイミングデータ」は、本件発明の「包装部」、「クランプ手段」、「クランプ解放タイミングデータ」に相当するから、本件発明と引用発明とを対比すると、両者は、
「包装部に帳架し、クランプ手段でクランプしたフィルムに向けて被包装物を突き上げて該被包装物の表面をフィルムで覆い、そのフィルムの端部を被包装物の底面側に折り込んで包装するストレッチフィルム包装機において、性質の異なるフィルムの種類毎にクランプ解放タイミングデータを含む包装制御データを記憶する記憶手段と、フィルムの種類を指定する指定手段と、指定されたフィルムの種類に該当するクランプ解放タイミングデータを読み出し、そのクランプ解放タイミングデータに基づいてクランプ手段の解放動作を制御する制御手段と、を備えたことを特徴とするストレッチフィルム包装機。」の点で一致するが、本件発明のものは、一対のクランプ手段が、「間隔を広狭調節し得るように構成され」ており、記憶手段が、「折り込み時にクランプ手段同士を接近させる開始タイミングデータを記憶する」とともに、制御手段が、「クランプ解放タイミングデータと前記クランプ手段同土を接近させる開始タイミングデータに基づいてクランプ手段の解放動作と前記クランプ手段同士を接近させる開始動作とを制御する」のに対し、引用発明のものは、このような「クランプ手段」、「記憶手段」、「制御手段」についての明示がない点で相違する。
　そうすると、本件の請求項１に係る発明は、刊行物１に記載された発明に基づいて、当業者が容易に発明をすることができたものとすることはできない。そして、刊行物２にも、この点について記載も示唆もない。
　また、本件の請求項２に係る発明は、請求項１を引用することにより、上記構成をその一部とするものであるから、上記構成を開示又は示唆しない刊行物１及び刊行物２に記載された発明に基づいて、当業者が容易に発明をすることができたものとすることはできない。
　また、その他の異議申立理由及び証拠は、本件の請求項１、２に係る発明を取り消すべき理由として採用することができない。
　　　　　　　　　
５．むすび
　以上のとおりであるから、特許異議申立ての理由及び証拠によっては、本件の請求項１、２に係る特許を取り消すことはできない。
　また、他に本件の請求項１、２に係る特許を取り消す理由を発見しない。
　よって、結論のとおり決定する。
【異議決定日】
平成１７年４月１９日（２００５．４．１９）
【訂正の要旨】
審決（決定）の【理由】欄参照。
（５４）【発明の名称】
ストレッチフィルム包装機
（５７）【特許請求の範囲】
　【請求項１】　包装部に張架し、
間隔を広狭調節し得るように構成された一対の
　性質の異なるフィルムの種類毎にクランプ解放タイミングデータ
と折り込み時にクランプ手段同士を接近させる開始タイミングデータと
　フィルムの種類を指定する指定手段と、
　指定されたフィルムの種類に該当するクランプ解放タイミングデータ
と前記クランプ手段同士を接近させる開始タイミングデータと
と前記クランプ手段同士を接近させる開始タイミングデータ
と前記クランプ手段同士を接近させる開始動作と
を備えたことを特徴とするストレッチフィルム包装機。
　【請求項２】　上記ストレッチフィルム包装機が幅狭い１種類のフィルムを被包装物の寸法に合わせてその幅方向をプリストレッチするプリストレッチ手段を備え、且つ前記包装制御データとしてプリストレッチ量データを含むことを特徴とする請求項１記載のストレッチフィルム包装機。
　【請求項３】　上記ストレッチフィルム包装機が鋸刃状のカッタにより、フィルムを引き出し中にフィルムをカットする第１カット方式と、フィルム引き出し後にフィルムを停止させてカットする第２カット方式とを備え、且つ前記包装制御データとして前記第１カット方式と第２カット方式を選択する選択データを、被包装物の寸法を複数に区分した区分毎に記憶した、ことを特徴とする請求項２記載のストレッチフィルム包装機。
【発明の詳細な説明】
　【０００１】
　【発明の属する技術分野】
　本発明は生鮮食品等の商品をストレッチフィルムで包装するストレッチフィルム包装機に関し、詳しくは性質の異なる複数種類のフィルムを使用することが出来るストレッチフィルム包装機に関する。
　【０００２】
　【従来の技術】
　従来のストレッチフィルム包装機は、フィルムロールからフィルムを引き出して所定長さに切断すると共に、そのフィルムを水平に張架し、他方、被包装物を前記フィルムに向けて突き上げて該被包装物の表面をフィルムで覆い、且つそのフィルムの端部を被包装物の底面側に折り込んで包装するものである。ところで、上記したストレッチフィルム包装機に使用するフィルムは、メーカーの違い、或いは塩化ビニルフィルムとポリエチレンフィルムとの基本的な材質の違いによって、フィルムの伸び率，収縮率，密着性，裂け易さ等のフィルムの性質が様々である。
　【０００３】
　【発明が解決しようとする課題】
　その為に、従来のストレッチフィルム包装機では特定のフィルムに合わせた制御を行って包装するようにプログラムされており、ユーザーは特定のフィルムとほぼ同じ性質の限られた範囲のフィルムを選択することしかできないという問題があった。
　【０００４】
　本発明は上記した従来の技術が有する問題点に鑑みてなされたもので、その目的とするところは、性質の異なるフィルムを使用して包装することが出来る包装制御機構を備えたストレッチフィルム包装機を提供することにある。
　【０００５】
　上記課題を解決するために本発明が講じた技術的手段は、包装部に張架し、
間隔を広狭調節し得るように構成された一対の
と折り込み時にクランプ手段同士を接近させる開始タイミングデータと
と前記クランプ手段同士を接近させる開始タイミングデータと
と前記クランプ手段同士を接近させる開始タイミングデータ
と前記クランプ手段同士を接近させる開始動作と
　【０００６】
　上記の包装制御データとしては、所定長さにカットしたフィルムの幅方向の両側縁をクランプするクランプ手段のクランプ解放タイミングデータ
と折り込み時にクランプ手段同士を接近させる開始タイミングデータと
　【０００７】
　更に、ストレッチフィルム包装機がフィルムロールから引き出したフィルムを鋸刃状のカッタにより所定長さにカットする方式として、フィルムを引き出しながら所定長さにフィルムをカットする第１カット方式と、フィルムを引き出した後にフィルムを停止させて所定長さのフィルムをカットする第２カット方式とを備えたものにあっては、前記包装制御データとして第１カット方式と第２カット方式を選択する選択データを、被包装物の寸法を複数に区分した区分毎に記憶させる。
　【０００８】
　上記した手段によれば、指定手段によってフィルムを指定するとそのフィルムに応じたクランプ解放タイミングデータが読み出され、そのクランプ解放タイミングデータに基づいてクランプ手段の解放動作が制御され包装が行われる。従って、様々な種類のフィルムに対応した包装が可能となる。そして、プリストレッチ手段を備えた包装機にあっては、フィルムの種類に応じた量のプリストレッチを行うことが出来るので、性質の異なる幅狭いフィルムで確実なプリストレッチを行うことが出来る。
　【０００９】
　又、フィルムロールから引き出したフィルムのカット方法としてフィルムを引き出しながらカットとする方法と、フィルムを引き出した後停止し、その停止した状態でカットする方法の二方法が備えられ、フィルムの種類に応じて前記カット方法を選択できる包装機にあっては、プリストレッチ時にカット縁から裂けやすいフィルムを使用する場合は、比較的少ないプリストレッチ量で包装する寸法の被包装物でもフィルムを停止してカットすることでカット縁の荒れを小さくしてフィルムの裂けを防止できる。逆に裂けにくいフィルムを使用する場合は比較的多いプリストレッチ量で包装する寸法の被包装物でも、フィルムを引き出しながらカットして包装速度をアップできることから、フィルムの特性に合わせた高い包装速度で包装を行うことが可能となる。
　【００１０】
　【発明の実施の形態】
　以下、本発明の実施の形態をプリストレッチ手段を備えたストレッチフィルム包装機について図面に基づき説明する。図１及び図２に示すストレッチフィルム包装機は、機枠Ａの前方に被包装物を載置する商品載置部（計量部）ａを設け、該商品載置部ａに載せた被包装物をプッシャコンベアＢにより機枠Ａ内部に設けたエレベータ１まで搬送する。このプッシャコンベアＢの側近に、被包装物の幅，奥行き，高さの各寸法を測定するセンサが設けられている。上記エレベータ１の上方には包装部ｂが設けられ、その包装部ｂの側方（図２の右側）にフィルムロール配置部２とその配置部２にセットされたフィルムロール３から繰り出されるフィルム３’の先端部を保持するフィルム保持手段Ｃが設けられ、そのフィルム保持手段Ｃで保持されているフィルム先端を挟持して引き出し、包装部ｂまで移送するクランプ手段Ｄが前記フィルム保持手段Ｃの先端に接近させて配置され、且つフィルム保持手段Ｃとクランプ手段Ｄとの間には該クランプ手段Ｄで挟持され引き出されたフィルム３’を所定長さにカットするカッタＥが配置されている。又、クランプ手段Ｄの上方には左右折り込み板４，４’と後折り込み板５、及び後折り込み板５の上方に位置して排出プッシャ６が配設されている。
　【００１１】
　因って、エレベータ１上に載せられた被包装物は、エレベータ１の上昇により上記包装部ｂに展張されたフィルム３’に対して突き上げられ、引き伸ばされた状態のフィルムの端部を、左右折り込み板４，４’と後折り込み板５とにより被包装物の底面に折り込んだ後、排出プッシャ６により被包装物を機枠Ａ前側の排出部（ヒートシール部）７へ向けて水平に押動させながら、上記フィルム３’の前側端部を前折り込みローラ７’で被包装物の底部に折り込んでフィルムの折り込みが完了される。尚、ストレッチフィルム包装機が計量包装値付機の場合には上記排出プッシャ６による移送中にラベルが貼付される。
　【００１２】
　フィルム保持手段Ｃは、フィルムロール配置部２にセットされたフィルムロール３のフィルム３’の先端部を保持するもので、図２及び図３に示すようにフィルムの下側に位置して前後方向に所定の間隔をおいて平行に配置した無端ベルト８に亘って架設固定されたフィルム受け板８’と、そのフィルム受け板８’の表面に支持されるフィルムを前記フィルム受け板８’とで挟んで保持する同形状の保持板９と、前記フィルム受け板８’に取り付けた保持ローラ１０とで構成され、保持板９は機枠Ａに対して開閉回動自在とした保護カバー１１の内側に上下摺動自在に支持されると共に、無端ベルト８に架設固定されているフィルム受け板８’と係着して一緒に上下摺動し、フィルム受け板８’と保持板９とで挟着保持するフィルム３’の先端をフィルム移送手段Ｄに受け渡し得るように構成されている。又、フィルム受け板８’に取り付けられている保持ローラ１０はその外表面を鏡面状にし、且つ該受け板８’に開設した通孔１２より保持板９に開設した通孔内に嵌入突出させて該フィルム３’を保持ローラ１０の周面に沿って蛇行させフィルム保持を確実に行うと共に、該保持ローラ１０はフィルムの引き出し方向のみ回転自在に構成されている。
　【００１３】
　更に、前記した無端ベルト８はモータ１３の回転軸に固定したプーリと、繰出しローラ（フィルム供給ローラ）１４と同軸のプーリ１５と、従動プーリ１６とに亘って巻回されており、モータ１３の駆動によって無端ベルト８がフィルムの移動方向に沿って上下（正逆回転）するように構成されている。又、上記したフィルム保持手段Ｃにフィルムロール３のフィルムを引き出し供給する繰出しローラ１４の駆動は後述するクランプ手段Ｄの駆動系にプーリを介して連結され、その中間の伝達プーリ（図示せず）はブレーキ及びクラッチ付きのものが用いられて繰出しローラの駆動、停止が前記フィルム保持手段Ｃとは別々に制御され、且つフィルムを切断するカッタの作動と同時に停止できるよう制御されている。更に又、フィルム保持手段Ｃを構成するフィルム受け板８’と保持板９の上端部にはフィルム幅の異なるフィルムロールに対応し得るように幅方向の一方端を基準として反対側に複数の切り欠き１７’が形成され、その切り欠きにより後述するクランプ手段Ｄへのフィルムの受け渡しが行われるように構成されている。
　【００１４】
　クランプ手段Ｄは、フィルムの幅方向の側端部を挟持する上下一対の無端状の弾性ベルト１８，１８’と、下側の弾性ベルト１８’を上側の弾性ベルト１８側へ圧接するクランプ板１９と、下側の弾性ベルト１８’の始端側は前記したフィルム保持手段Ｃ側に向けて下向きに傾斜させ、その下向きに傾斜した始端側の上面に重ね合わせて配置すると共に、その先端側を開閉移動自在とした押えベルト２０とで構成され、それらが図３に示すように包装部ｂを挟んで前後に、フィルムロール３から引き出されたフィルム３’の側端部を挟持する位置に配置されている。そして、その前後一対の構成部材は取り付け枠２１，２１’に支持され、その取り付け枠２１，２１’は該取り付け枠２１，２１’の下側に直角に交差して配置された２本の案内杆２２，２２’に連結部材２３，２３’を介して支持されており、一方のクランプ手段Ｄ１を取り付けた取り付け枠２１は固定され、他方のクランプ手段Ｄ２を取り付けた取り付け枠２１’は案内杆２２，２２’に沿って移動自在に構成され、その可動側のクランプ手段Ｄ２にはプリストレッチ手段、即ち間隔拡張手段が連結されて固定側のクランプ手段Ｄ１との間隔を広狭調節し得るように構成されている。
　【００１５】
　上記のクランプ手段を構成する上下一対の無端状の弾性ベルト１８，１８’はフィルムを挟持して搬送し得るよう同方向に駆動回転され、その駆動方式は減速機付モータ２４で下側の弾性ベルト１８’が巻回されている駆動ローラ１８’ａを回転し、且つその駆動ローラの軸に固着したチェーンスプロケット（図示せず）と上側の弾性ベルト１８が巻回されている駆動ローラ１８ａの軸に固着したチェーンスプロケット（図示せず）とに亘ってチェーンを巻回して動力伝達が行われ上側の弾性ベルト１８も回転するように構成されている。
　【００１６】
　又、上側の弾性ベルト１８に対して下側の弾性ベルト１８’を圧接するクランプ板１９は図４に示すように５個に分割され、その５個のクランプ板は中央クランプ板１９ａ，中央クランプ板１９ａの左右に配置された第１の左右クランプ板１９ｂ，１９ｂ’、及び前記第１の左右クランプ板１９ｂ，１９ｂ’の外側に配置された第２の左右クランプ板１９ｃ，１９ｃ’の如く中央クランプ板１９ａに対して左右対称位置に配置されている。そして、上記５個のクランプ板は外側に配置される第２の左右クランプ板１９ｃ，１９ｃ’の長さよりその内側に配置される第１の左右クランプ板１９ｂ，１９ｂ’及び中央クランプ板１９ａの長さが短く形成されている。更に、上記のクランプ板１９はその中央クランプ板１９ａを略包装位置の中央（センタリング完了後のフィルムの中心位置）に配置し、他は前記中央のクランプ板１９ａに対し左右対称位置に配置されている。
　【００１７】
　上記５分割されたクランプ板１９を下側の弾性ベルト１８’に押し付け、離反させる機構は、図５に示すように電磁ソレノイド２６のプランジャ２６’の先端を固定部材（図示省略）に対し回動自在に軸支した揺動板２７の一方端に連結し、その揺動板２７の他方端はクランプ板１９の長さ方向の略中央に連結すると共に、前記プランジャ２６’にはスプリング２８を張設して該プランジャを常時引き出す方向に付勢している。それによって、電磁ソレノイド２６がＯＦＦの時はスプリング２８の作用でクランプ板１９は下側の弾性ベルト１８’を上側の弾性ベルト１８側に押し付け（図５の実線の状態）、電磁ソレノイド２６に通電されてＯＮするとプランジャ２６’は引き込まれ、それにより揺動板２７が反時計周り方向に回動されてクランプ板１９は弾性ベルト１８’より離反し（図５の仮想線の状態）、フィルムの挟持が解放される。上記の５分割したクランプ板１９の解放のタイミングはフィルムの折り込みの順番に従って解放し、一般的にはフィルムの幅方向前後に配置された第２の左右クランプ板１９ｃ，１９ｃ’→前後の第１の左右クランプ板１９ｂ，１９ｂ’→後側の中央クランプ板１９ａ→前側の中央クランプ板１９ａの順に解放される。（図６参照）
　【００１８】
　前記したクランプ手段Ｄと繰出しローラ１４との作動で引き出されたフィルムを所定長さにカットするカッタＥは刃先が山形をした鋸刃状刃で構成すると共に電磁ソレノイド２５によって構成された制御手段によりフィルム３’に対してほぼ直角に出没するように構成され、電磁ソレノイド２５への通電の制御によってフィルム３’のカットが行われるように構成されている。そして、このカッタＥによるフィルム３’のカット方式としては、フィルム３’を引き出し中にカットする第１カット方式と、フィルム引き出し後にフィルムを停止させてカットする第２カット方式の二方式が備えられており、使用するフィルムの種類や被包装物の寸法（奥行き寸法＋高さ寸法）に応じたプリストレッチ量に応じて選択される選択データとして、被包装物の寸法を複数に区分した区分毎に記憶されている。
　【００１９】
　図７は上述した装置の電気的構成を示すもので、計量ラベルプリンタ制御部Ｆと、包装機構制御部Ｇとを備え、計量ラベルプリンタ制御部Ｆは主として計量ラベルプリンタ関係の制御を行うもので、本発明と直接関係しないため図示及び説明を省略し、本発明と関係する包装機構制御部Ｇについて説明する。包装機構制御部Ｇは、主として包装機の機構部の制御を行うものでＣＰＵ２９によって制御される。
　【００２０】
　ＣＰＵ２９にはバス２９ａを介して交信用インターフェース回路（ＩＮＦ）３０，ＲＯＭ３１，ＲＡＭ３２，操作部３３，表示部３４，及び機構駆動部３５が接続されている。交信用インターフェース回路（ＩＮＦ）３０は、計量ラベルプリンタ制御部Ｇと各種データ、指令の交信を行うための回路である。ＲＯＭ３１は、ＣＰＵ２９が実行するプログラム、包装制御データテーブルが記憶されている。その包装制御データテーブルについては後で詳細に説明する。ＲＡＭ３２は、ＣＰＵ２９がＲＯＭ３１の包装制御データテーブルを実行する場合に用いる各種レジスタ及びフラグのエリア等が記憶されている。操作部３３は、装置の起動、停止等のための各種スイッチ及びデータの入力等を行うキーボードからなる。表示部３４は、タッチパネルで構成されており、ＣＰＵ３０の指令に基づいて入力データの表示、プリセットデータの表示、各種メッセージの表示を行うもので、別名コンソール部とも呼ばれている。
　【００２１】
　機構駆動部３５は、包装を実行する場合に包装機の各機構部を駆動するための回路で、具体的にはエレベータ１を駆動するモータ３６，被包装物を搬入するコンベアＢの駆動モータ３７，クランプ手段Ｄの駆動モータ２４，フィルムの左右端部を商品の底部に折り込む左右折り込み板４，４’を作動させる駆動モータ３８，フィルムの後端部を商品の底部に折り込む後折り込み板５を作動させる駆動モータ３９，排出プッシャ６を作動させる駆動モータ４０，エレベータ１を駆動するカム４１の回転角度を検出するロータリーエンコーダ４２，フィルム３’をカットするカッタＥを作動させる電磁ソレノイド２５，クランプ手段Ｄの複数個に分割されたクランプ板１９を上下動作させる電磁ソレノイド２６，クランプ手段Ｄの可動側クランプ手段Ｄ２をフィルムの幅方向に移動させるプリストレッチモータ４３等がある。尚、包装機の構成は先に簡単に説明したが本発明と直接関係しない他のモータの制御の詳細については説明を省略する。
　【００２２】
　次に包装に関する各部の動作を図８のタイムチャートに基づいて説明する。尚、図中、実線は標準的な特性をもったフィルムの場合を示す。包装機の各部の制御はエレベータ１を駆動するカム４１の回転角度に基づいて行われ、そのカム４１が１回転すると包装の１サイクルが行われる。このカムの回転角度の検出は、カム軸に取り付けられているロータリーエンコーダ４２からの出力パルスをカウントし、カウント値で検出される。このカム４１の１回転によりエレベータは（１）のタイミングで上下する。即ち、１包装サイクルの後半でエレベータが上下し、１包装サイクルの前半ではプッシャコンベアＢによる被包装物の搬入、クランプ手段Ｄによるフィルムの引き出し、センタリング、及びプリストレッチが行われる。
　【００２３】
　被包装物を搬入するプッシャコンベアＢは（２）のタイミングでＯＮ／ＯＦＦされ、クランプ手段Ｄは（３）のタイミングでＯＮ／ＯＦＦする。クランプ手段Ｄのフィルム搬送中にカッタＥを動作してフィルムをカットしているが、このカッタＥについては省略してある。従って、クランプ手段Ｄが「ＯＮ」状態の間、フィルムの引き出し及びカットしたフィルムのセンタリングを行っている。尚、フィルムのカット長さによってクランプ手段ＤがＯＦＦされるタイミングは異なるが、図示した場合はカット長さが長い場合で、カット長さが短い場合は図示したタイミング以前にＯＦＦされる。そして、上記したクランプ手段Ｄはその一方のクランプ手段Ｄ２を他方のクランプ手段Ｄ１との間隔を拡張する方向に大幅に移動させることでフィルムを幅方向に大幅にプリストレッチしている。そのプリストレッチのタイミングは（４）に示されている（右上がりの線の時にプリストレッチしている）。そのプリストレッチ量（クランプ手段Ｄ２の移動量）は、被包装物の奥行き寸法に応じて変わり、図示のものは最大寸法の場合を示している。そして、フィルム特性で収縮率が高い又は密着率が弱い場合は、点線のようにプリストレッチ量を大きくする。これにより、フィルムの折り込み代（フィルムの重なり合う面積）の収縮による減少分又は密着力を補うことができる。又、本実施例ではフィルムのプリストレッチはクランプ手段ＤがＯＦＦした後行っており、プリストレッチは後折り込みの途中で緩められている。（間隔を狭くする方向へ移動される）
　【００２４】
　又、（５）は左右折り込み板４，４’のタイミング、（６）は後折り込み板５のタイミング、（７）は排出プッシャ６のタイミングを示し、夫々右上がりの線の時に折り込み動作を行っている。更に、（８）乃至（１３）はクランプ手段Ｄにおける５分割されたクランプ板１９が下側の弾性ベルト１８’から離反してフィルム挟持を解放するタイミングを示し、前後に配置された第２の左右クランプ板１９ｃ，１９ｃ’は夫々（８），（９）で示すように同じタイミングでＯＮ（ＯＮ時、挟持を解放）され、次に前記した第２の左右クランプ板のＯＮするタイミングよりも遅いか又は少なくとも同時に、前後に配置された第１の左右クランプ板１９ｂ，１９ｂ’は夫々（１０），（１１）で示すように同じタイミングでＯＮ（ＯＮ時、挟持を解放）される。そして、前後の第２の左右クランプ板と第１の左右クランプ板は前記した左右折り込み板４，４’の動作中にＯＮされ、第２の左右クランプ板１９ｃ，１９ｃ’と第１の左右クランプ板１９ｂ，１９ｂ’がＯＮするタイミングが遅いほど包装時のフィルムの張りは強くなる。又、（１２）は前側の中央クランプ板１９ａがＯＮされるタイミングを示し、（１３）は後側の中央クランプ板１９ａがＯＮされるタイミングを示し、後側の中央クランプ板１９ａは後折り込み板５の動作中にＯＮされる。尚、５分割されたクランプ板の解放タイミングは、フィルム特性で収縮率が高い又は密着率が弱いフィルムを使用する場合は、点線のように遅らせることでフィルム収縮の開始を遅らせ、又、フィルム挟持中の折り込み板の進行によりフィルムを引き伸ばすことによりフィルムの折り代を十分に確保して確実に包装できる。
　【００２５】
　図９は表示部３４のタッチパネルの表示を示し、メニューから「フィルム種類の指定」を選択した場合の画面例で、フィルム名を表示している部分をタッチするとそのフィルムが指定されたことになり、その部分を枠で囲む表示になる。指定されたフィルムの表示は図示の形態に限らず、タッチして指定された部分を白黒反転表示してもよい。
　【００２６】
　図１０はＲＯＭ３１に記憶されているフィルム種類毎の包装制御データテーブルで、メーカー側で予め各種フィルムに合わせた制御データを記憶させおく。その制御データは、フィルムの種類毎に、且つ、被包装物（商品）の「奥行き寸法＋高さ寸法」を大きさの順に区分した区分毎に記憶してある。その制御データとしては、「クランプ解放タイミング」，「プリストレッチ量」，「カット方式」の他に、フィルムカット長さ，左右折り込み板及び後折り込み板の始動タイミングなどが挙げられる。以下、図示した「クランプ解放タイミング」，「プリストレッチ量」，「カット方式」について簡単に説明する。「クランプＴＭ」はクランプ解放タイミングのことで、被包装物（商品）の「奥行＋高さ」寸法が大きい程、早い解放にし、又、フィルム特性で収縮率が高い、密着性が低い、或いは伸び率が高い場合は遅い解放とする。「プリストレッチ量」は、被包装物（商品）の「奥行＋高さ」寸法が大きい程、その量を大きくする。又、フィルム特性で収縮率が高い、密着性が低い、或いは伸び率が低い場合は、プリストレッチ量を大きくする。「カット方式」は、フィルム引き出し中にカットする方式か、フィルム引き出し後にフィルムを停止させてカットする方式かを選択するデータで、裂けやすいフィルム特性の場合は、停止させてカットする方式が標準のフィルムに比べて前記被包装物（商品）の「奥行＋高さ」寸法の小さい方に増える。（被包装物（商品）の「奥行＋高さ」寸法が小さければプリストレッチ量が少なくて済み、フィルムの裂けがないので引き出し中にカットする方式となり、被包装物（商品）の「奥行＋高さ」寸法が大きければプリストレッチ量が多くなりフィルムが裂けてしまうので停止してカットする方式となるため、裂けやすいフィルムは比較的小さい被包装物でも停止させてカットし、カット縁の荒れをなくして、フィルム裂けを防止する。）
　尚、図示のデータは、張り強さ，被包装物の幅寸法等の他の条件は標準とした場合のデータであって、他の条件によりこれらのデータは加算、減算されて最終的な制御データとなる。
　【００２７】
　上記した実施の形態では包装制御データテーブルをＲＯＭに記憶させたが、ＲＯＭだけに記憶させることに限定されず、バッテリバックアップしてデータの長期保存可能なＲＡＭに記憶させてもよい。この場合は、データを追加することで新規なフィルムにも対応可能となり、データの調整も容易となる。又、包装制御データテーブルの包装制御データとして、折り込み時にクランプ手段同士を接近させる開始タイミングデータを加えるとよい。例えば、伸び率が小さいフィルムでは早めに接近させることで張力の過度の増大を防止して被包装物の潰れを防止できる。更に、フィルム種類の指定はオペレータが操作することに限定されず、フィルム種類を自動的に識別して指定してもよい。例えば、フィルムのロール芯に識別マークを付けておき、そのロールがセットされている間に装置がマークを読み込むことで可能である。また、商品の横幅に関しては包装制御データテーブルからは除いて説明したが、商品の横幅寸法に応じてフィルムカット長さは変える必要があり、伸び率が低いフィルムの場合はその分カット長さを長くするようにするとよい。そして、商品の搬入方向とフィルム搬送方向とが本実施例のように直交するタイプでなく、周方向のタイプであっても容易に本発明を適用できる。
　【００２８】
　【発明の効果】
　本発明のストレッチフィルム包装機は請求項１に記載の構成により、フィルムの種類を指定することでそのフィルムに合ったクランプ解放タイミングでフィルムをクランプするクランプ手段を解放できるので、フィルムの伸び率等の性質の異なったフィルムにも対応でき、確実に包装することができる。更に、請求項２に記載の構成により、指定された種類のフィルムに合った量のプリストレッチを行うことができるので、幅狭なフィルムであっても確実に包装することができる。又、請求項３に記載の構成により、プリストレッチ時にカット縁から裂けやすいフィルムを使用する場合は、比較的少ないプリストレッチ量で包装する商品寸法でもフィルムを停止させてカットすることでカット縁の荒れを小さくして裂けを防止できる。また、裂けにくいフィルムを使用する場合には比較的大きいプリストレッチ量で包装する商品寸法でもフィルムを引き出し中にカットして包装速度をアップできることから、フィルムの特性に合わせた高い包装速度で包装することができる。
【図面の簡単な説明】
　【図１】本発明に係るストレッチフィルム包装機の概略を示す縦断側面図である。
　【図２】図１の縦断正面図である。
　【図３】図２の（Ｘ）−（Ｘ）線に沿える拡大断面図である。
　【図４】クランプ手段と左右折り込み板及び後折り込み板の配置関係を示す概略平面図である。
　【図５】クランプ手段におけるクランプ板の構造を示す拡大断面図である。
　【図６】クランプ手段における５分割のクランプ板の解放順序を示す説明図である。
　【図７】包装機の制御手段の電気的構成を示す説明図である。
　【図８】包装に関する各部の動作を示すタイムチャートである。
　【図９】表示部（タッチパネル）に表示される「フィルム種類の指定」の画面例である。
　【図１０】フィルム種類毎の包装制御データテーブルの一例を示す説明図である。
　【符号の説明】
　　Ａ…機枠　　　　　　　　　　Ｄ…クランプ手段
　　Ｅ…カッタ　　　　　　　　　Ｇ…包装機構制御部
　　ｂ…包装部　　　　　　　　　１…エレベータ
　３’…フィルム　　　　　　　１９…クランプ板